(57)【要約】【課題】  本発明は、撮像装置、撮像装置の制御方法、撮像装置の制御方法のプログラム及び撮像装置の制御方法のプログラムを記録した記録媒体に関し、例えば電子スチルカメラに適用して、事前に撮像結果を確認して撮影の条件を変更できるようにして、この変更後の撮像結果についても簡易に確認することができるようにする。【解決手段】  本発明は、画像メモリに記録された画像データの輝度レベルを複数の判定基準値により判定し、この判定判定結果に基づいて、輝度レベルが所定値以上となる第１の高輝度領域と、露光制御の設定を切り換えた場合に、輝度レベルが所定値以上となる第２の高輝度領域とを識別可能に、表示手段により表示された画像上で表示する。【選択図】        図１
2006165716.tif 000002
【特許請求の範囲】
【請求項１】
被写体の画像を取得して撮像結果を出力する撮像手段と、
前記撮像結果による画像データを一時保持する画像メモリと、
前記画像メモリに保持された画像データによる画像を表示する表示手段と、
全体の動作を制御する制御手段とを備え、
前記制御手段は、
操作子の操作に応動して動作モードを切り換え、
飽和領域の同時表示の動作モードにおいて、
前記画像メモリに保持した画像データの輝度レベルを複数の判定基準により判定し、
該判定結果に基づいて、前記画像データによる画像において、少なくとも前記複数の判定基準のうちの１つの判定基準より輝度レベルが高い第１の高輝度領域と、露光制御の設定を切り換えた場合に、前記１つの判定基準より輝度レベルが高くなる第２の高輝度領域とを識別可能に設定して、前記表示手段により表示された前記画像上で前記第１及び第２の高輝度領域を表示する
ことを特徴とする撮像装置。
【請求項２】
前記第１及び第２の高輝度領域の表示が、所定の固定パターンの表示である
ことを特徴とする請求項１に記載の撮像装置。
【請求項３】
前記制御手段は、
飽和領域の切り換え表示の動作モードにおいて、
前記画像メモリに保持した画像データの輝度レベルを前記１つの判定基準により判定し、
該判定結果に基づいて、前記１つの判定基準より輝度レベルが高い高輝度領域を前記表示手段により表示された前記画像上で表示し、
所定の操作子の操作により、前記表示手段による表示を切り換え、
前記画像メモリに保持した画像データの輝度レベルを露光制御の設定を切り換えた場合の輝度レベルに変換して表示し、
該変換した輝度レベルを前記１つの判定基準により判定し、
該判定結果に基づいて、前記１つの判定基準より輝度レベルが高い高輝度領域を前記表示手段により表示された前記画像上で表示する
ことを特徴とする請求項１に記載の撮像装置。
【請求項４】
前記制御手段は、
ヒストグラム表示の動作モードにおいて、
前記画像データより輝度信号、各色信号の信号レベルの分布を検出し、
該検出結果に基づいて、前記表示手段により表示された前記画像の一部に前記輝度信号又は前記色信号のヒストグラムを表示するようにして、操作子の操作に応動して、前記ヒストグラムの表示を、前記輝度信号、前記色信号で切り換える
ことを特徴とする請求項１に記載の撮像装置。
【請求項５】
撮像手段により撮像結果を取得して画像メモリに保持する撮像装置の制御方法において、
操作子の操作に応動して動作モードを切り換える動作モード切り換えのステップを有し、
飽和領域の同時表示の動作モードにおいて、
前記画像メモリに保持した画像データの輝度レベルを複数の判定基準により判定する輝度レベルの判定ステップと、
前記輝度レベルの判定ステップによる判定結果に基づいて、前記画像データによる画像において、少なくとも前記複数の判定基準のうちの１つの判定基準より輝度レベルが高い第１の高輝度領域と、露光制御の設定を切り換えた場合に、前記１つの判定基準より輝度レベルが高くなる第２の高輝度領域とを識別可能に設定して、表示手段により表示された前記画像上で前記第１及び第２の高輝度領域を表示する表示のステップとを有する
ことを特徴とする撮像装置の制御方法。
【請求項６】
撮像手段により撮像結果を取得して画像メモリに保持する撮像装置の制御方法のプログラムにおいて、
操作子の操作に応動して動作モードを切り換える動作モード切り換えのステップを有し、
飽和領域の同時表示の動作モードにおいて、
前記画像メモリに保持した画像データの輝度レベルを複数の判定基準により判定する輝度レベルの判定ステップと、
前記輝度レベルの判定ステップによる判定結果に基づいて、前記画像データによる画像において、少なくとも前記複数の判定基準のうちの１つの判定基準より輝度レベルが高い第１の高輝度領域と、露光制御の設定を切り換えた場合に、前記１つの判定基準より輝度レベルが高くなる第２の高輝度領域とを識別可能に設定して、表示手段により表示された前記画像上で前記第１及び第２の高輝度領域を表示する表示のステップとを有する
ことを特徴とする撮像装置の制御方法のプログラム。
【請求項７】
撮像手段により撮像結果を取得して画像メモリに保持する撮像装置の制御方法のプログラムを記録した記録媒体において、
前記制御方法のプログラムは、
操作子の操作に応動して動作モードを切り換える動作モード切り換えのステップを有し、
飽和領域の同時表示の動作モードにおいて、
前記画像メモリに保持した画像データの輝度レベルを複数の判定基準により判定する輝度レベルの判定ステップと、
前記輝度レベルの判定ステップによる判定結果に基づいて、前記画像データによる画像において、少なくとも前記複数の判定基準のうちの１つの判定基準より輝度レベルが高い第１の高輝度領域と、露光制御の設定を切り換えた場合に、前記１つの判定基準より輝度レベルが高くなる第２の高輝度領域とを識別可能に設定して、表示手段により表示された前記画像上で前記第１及び第２の高輝度領域を表示する表示のステップとを有する
ことを特徴とする撮像装置の制御方法のプログラムを記録した記録媒体。
【発明の詳細な説明】
【技術分野】
【０００１】
本発明は、撮像装置、撮像装置の制御方法、撮像装置の制御方法のプログラム及び撮像装置の制御方法のプログラムを記録した記録媒体に関し、例えば電子スチルカメラに適用することができる。本発明は、画像メモリに記録された画像データの輝度レベルを複数の判定基準値により判定し、この判定結果に基づいて、輝度レベルが所定値以上となる第１の高輝度領域と、露光制御の設定を切り換えた場合に、輝度レベルが所定値以上となる第２の高輝度領域とを識別可能に、表示手段により表示された画像上で表示することにより、事前に撮像結果を確認して撮影の条件を変更できるようにして、この変更後の撮像結果についても簡易に確認することができるようにする。
【背景技術】
【０００２】
従来、電子スチルカメラにおいては、撮影の失敗を防止するために、自動露光調整、自動ホワイトバランス調整等の各種機能が設けられ、さらに事前に撮影結果を確認する方法が種々に提案されるようになされている。
【０００３】
すなわち例えば特開２００２−１８５９７２号公報等には、事前に被写体の画像を取得し、予め設定したしきい値以下の彩度を示す領域に網かけ等を設定して表示する方法が提案されている。このような撮像結果を事前に確認する方法によれば、例えば輝度レベルの確認に適用して、必要に応じて自動露光調整による調整目標値を変更する等の、撮影の条件を種々に変更することができる。
【０００４】
しかしながら実際上、このような事前の確認により撮影の条件を変更した場合、ユーザーにおいて、この変更後の撮像結果については、改めて撮像結果を取得しなければ、確認することが困難な問題がある。
【特許文献１】特開２００２−１８５９７２号公報
【発明の開示】
【発明が解決しようとする課題】
【０００５】
本発明は以上の点を考慮してなされたもので、事前に撮像結果を確認して撮影の条件を変更できるようにして、この変更後の撮像結果についても簡易に確認することができる撮像装置、撮像装置の制御方法、撮像装置の制御方法のプログラム及び撮像装置の制御方法のプログラムを記録した記録媒体を提案しようとするものである。
【課題を解決するための手段】
【０００６】
かかる課題を解決するため請求項１の発明においては、撮像装置に適用して、操作子の操作に応動して動作モードを切り換え、飽和領域の同時表示の動作モードにおいて、前記画像メモリに保持した画像データの輝度レベルを複数の判定基準値により判定し、該判定結果に基づいて、前記画像データによる画像において、少なくとも前記複数の判定基準値のうちの１つの判定基準値より輝度レベルが高い第１の高輝度領域と、露光制御の設定を切り換えた場合に、前記１つの判定基準値より輝度レベルが高くなる第２の高輝度領域とを識別可能に設定して、前記表示手段により表示された前記画像上で前記第１及び第２の高輝度領域を表示する。
【０００７】
また請求項５の発明においては、撮像装置の制御方法に適用して、操作子の操作に応動して動作モードを切り換える動作モード切り換えのステップを有し、飽和領域の同時表示の動作モードにおいて、前記画像メモリに保持した画像データの輝度レベルを複数の判定基準値により判定する輝度レベルの判定ステップと、前記輝度レベルの判定ステップによる判定結果に基づいて、前記画像データによる画像において、少なくとも前記複数の判定基準値のうちの１つの判定基準値より輝度レベルが高い第１の高輝度領域と、露光制御の設定を切り換えた場合に、前記１つの判定基準値より輝度レベルが高くなる第２の高輝度領域とを識別可能に設定して、表示手段により表示された前記画像上で前記第１及び第２の高輝度領域を表示する表示のステップとを有するようにする。
【０００８】
また請求項６の発明においては、撮像装置の制御方法のプログラムに適用して、操作子の操作に応動して動作モードを切り換える動作モード切り換えのステップを有し、飽和領域の同時表示の動作モードにおいて、前記画像メモリに保持した画像データの輝度レベルを複数の判定基準値により判定する輝度レベルの判定ステップと、前記輝度レベルの判定ステップによる判定結果に基づいて、前記画像データによる画像において、少なくとも前記複数の判定基準値のうちの１つの判定基準値より輝度レベルが高い第１の高輝度領域と、露光制御の設定を切り換えた場合に、前記１つの判定基準値より輝度レベルが高くなる第２の高輝度領域とを識別可能に設定して、表示手段により表示された前記画像上で前記第１及び第２の高輝度領域を表示する表示のステップとを有するようにする。
【０００９】
また請求項７の発明においては、撮像装置の制御方法のプログラムを記録した記録媒体に適用して、操作子の操作に応動して動作モードを切り換える動作モード切り換えのステップを有し、飽和領域の同時表示の動作モードにおいて、前記画像メモリに保持した画像データの輝度レベルを複数の判定基準値により判定する輝度レベルの判定ステップと、前記輝度レベルの判定ステップによる判定結果に基づいて、前記画像データによる画像において、少なくとも前記複数の判定基準値のうちの１つの判定基準値より輝度レベルが高い第１の高輝度領域と、露光制御の設定を切り換えた場合に、前記１つの判定基準値より輝度レベルが高くなる第２の高輝度領域とを識別可能に設定して、表示手段により表示された前記画像上で前記第１及び第２の高輝度領域を表示する表示のステップとを有するようにする。
【００１０】
請求項１の構成により、撮像装置に適用して、操作子の操作に応動して動作モードを切り換え、飽和領域の同時表示の動作モードにおいて、前記画像メモリに保持した画像データの輝度レベルを複数の判定基準値により判定し、該判定結果に基づいて、前記画像データによる画像において、少なくとも前記複数の判定基準値のうちの１つの判定基準値より輝度レベルが高い第１の高輝度領域と、露光制御の設定を切り換えた場合に、前記１つの判定基準値より輝度レベルが高くなる第２の高輝度領域とを識別可能に設定して、前記表示手段により表示された前記画像上で前記第１及び第２の高輝度領域を表示すれば、現在の撮像の条件による撮像結果上で、露光制御の設定を切り換えた場合の変化を確認することができ、これにより事前に撮像結果を確認して撮影の条件を変更できるようにして、この変更後の撮像結果についても簡易に確認することができる。
【００１１】
これにより請求項５、請求項６、請求項７の構成によれば、事前に撮像結果を確認して撮影の条件を変更できるようにして、この変更後の撮像結果についても簡易に確認することができる撮像装置の制御方法、撮像装置の制御方法のプログラム、撮像装置の制御方法のプログラムを記録した記録媒体を提供することができる。
【発明の効果】
【００１２】
本発明によれば、事前に撮像結果を確認して撮影の条件を変更できるようにして、この変更後の撮像結果についても簡易に確認することができる。
【発明を実施するための最良の形態】
【００１３】
以下、適宜図面を参照しながら本発明の実施例を詳述する。
【実施例１】
【００１４】
（１）実施例の構成
図２は、本発明の実施例１に係る電子スチルカメラを示すブロック図である。この電子スチルカメラ１は、ユーザーの操作に応動して所望の被写体を撮像し、その撮像結果による画像データをメモリカード２による記録媒体に記録する。
【００１５】
ここでレンズ３は、コントローラ４の制御により焦点距離、フォーカス、絞りを可変して入射光を撮像素子５の撮像面に集光する。
【００１６】
撮像素子５は、例えばＣＣＤ固体撮像素子により形成され、図示しないタイミングジェネレータによる駆動により撮像面に形成された光学像の撮像結果を出力する。電子スチルカメラ１は、この撮像素子５の出力信号を図示しない信号処理回路により処理してアナログディジタル変換回路（Ａ／Ｄ）７に入力し、アナログディジタル変換回路７は、この撮像素子５の出力信号をアナログディジタル変換処理し、その処理結果による画像データを出力する。これらによりこの電子スチルカメラ１では、コントローラ４の制御による撮像の条件により撮像結果を取得し、この撮像結果による画像データＤ１を取得するようになされている。
【００１７】
画像処理部９は、ディジタルシグナルプロセッサにより形成され、コントローラ４の制御により、このアナログディジタル変換回路７から出力される画像データＤ１をホワイトバランス調整等して画像メモリ１０に記録する。この処理において、画像処理部９は、コントローラ４の指示により、各フレーム毎に、輝度信号の信号レベルの分布、赤色、青色、緑色の各色信号の信号レベルの分布を検出してコントローラ４に通知する。
【００１８】
画像メモリ１０は、撮像結果を一時記録する内蔵メモリであり、コントローラ４の指示によりこの保持した画像データを表示部１１に出力し、またメモリカード２に転送する。
【００１９】
表示部１１は、例えば液晶表示パネルにより形成され、画像メモリ１０に保持した画像データによる画像を表示する。またこの表示において、表示部１１は、コントローラ４からの指示により、各種のアイコン等を表示する。
【００２０】
メモリカード２は、着脱可能な大容量の記録媒体であり、コントローラ４の制御により、画像メモリ１０から転送される画像データを記録する。これらによりこの電子スチルカメラ１では、撮像結果を画像メモリ１０に保持して、表示部１１により確認し、さらにはメモリカード２に記録して保持するようになされている。
【００２１】
コントローラ４は、演算処理手段であり、操作子１２の操作に応動して所定の処理プログラムを実行することにより、この電子スチルカメラ１の動作を制御する。なおここでこの処理プログラムは、事前のインストールにより提供されるものの、これに代えてインターネット等のネットワークを介したダウンロードにより提供するようにしてもよく、また種々の記録媒体により提供するようにしてもよい。因みに、このような記録媒体は、光ディスク、磁気ディスク、メモリカード等、種々の記録媒体を広く適用することができる。
【００２２】
しかしてコントローラ４は、この処理プログラムの実行により、撮像素子５を介して動画による撮像結果を取得しながら表示部１１により表示するように、全体の動作を制御する。またこのようにして動画による撮像結果を表示した状態で、ユーザーによりシャッターが操作されると、撮像素子５の駆動の切り換えにより動画に代えて静止画により撮像結果を取得して画像メモリ１０に格納し、またこの画像メモリ１０に格納した静止画像の画像データを表示部１１により表示する。またこのようにして画像メモリ１０に格納した静止画像の画像データを表示部１１により表示して、操作子の操作によりメモリカード２への記録が指示されると、この画像メモリ１０に保持した静止画像の画像データをメモリカード２に転送して記録する。
【００２３】
またこれら動画、静止画による撮像結果を取得する際に、ユーザーにより自動露光調整の動作モードが選択されている場合、撮像素子５の出力信号をアナログディジタル変換回路７に出力する信号処理回路の利得を標準の利得に設定した状態で、画像処理部９で検出される撮像結果の輝度レベルに応じてレンズ３の絞りを制御し、これにより自動露光制御により一連の撮像結果を取得する。これに対してユーザーが自動露光制御の動作モードを選択していない場合、ユーザーの設定による絞り量により、これら一連の撮像結果を取得する。
【００２４】
これらの処理において、コントローラ４は、操作子１２の操作に応動して各種アイコンを表示部１１に表示してユーザーによる動作の設定を受け付け、これにより例えばユーザーがヒストグラムの表示を指示すると、全体の動作モードをヒストグラム表示の動作モードに切り換え、図３に示すように、動画による撮像結果を表示する際に、併せてヒストグラムを表示する。
【００２５】
すなわち図３に示すように、コントローラ４は、ユーザーによりヒストグラム表示の動作モードが指示されると、画像処理部９に対して、輝度信号の信号レベルの分布検出、赤色、青色、緑色の各色信号の信号レベルの分布検出を指示し、この指示によって画像処理部９から得られる分布検出結果に基づいて表示部１１の表示画面の右下隅に矩形の領域を形成してヒストグラムを表示する。またコントローラ４は、この矩形の領域の上下に、上方向及び下方向への操作ガイド１１Ａ及び１１Ｂを表示する。
【００２６】
コントローラ４は、ディフォルトの状態では、撮像結果における輝度の分布を示す輝度レベルのヒストグラムを表示する。また上方向及び下方向への操作ガイド１１Ａ及び１１Ｂに対応する操作子１２の操作により、図３（Ｂ）〜（Ｃ）に示すように、順次循環的に、撮像結果における赤色、青色、緑色の各色レベルの分布を示すヒストグラムの表示に、この矩形の領域におけるヒストグラムの表示を切り換える。なおこの実施例では、輝度レベルについては、棒グラフにより、色信号については折れ線グラフによりヒストグラムを表示するようになされている。
【００２７】
またこのようにしてヒストグラムを表示して、ユーザーによる操作子１２の操作により自動露光制御に係るＥＶ値の増減が指示されると、このＥＶ値の変更に対応するように、露光制御に係る制御目標であるＥＶ値を変更し、これにより撮像結果の輝度を増減させる。また同様のユーザーによる操作によりホワイトバランス調整の設定変更が指示されると、この設定の変更に対応するように、画像処理部９における自動ホワイトバランス調整の制御目標値を変更し、これにより撮像結果の色温度を変更する。また同様にしてユーザーにより自動露光制御に係る測光モードの変更が指示されると、対応する測光モードにより自動露光調整するように、画像処理部９から通知される輝度レベルを選択的に処理して自動露光に係る測光モードを切り換える。なおユーザーが自動露光調整、自動ホワイトバランス調整の動作モードを選択していない場合にあっては、ユーザーによる設定の変更に応動して絞り量、画像処理部９における各色信号の利得を変更する。
【００２８】
これによりこの電子スチルカメラ１では、これらヒストグラムにより撮像結果を確認して、特定の色、輝度等が飽和しないように、絞りの操作、ホワイトバランス調整の設定等により撮影の条件を適切に設定することができ、これにより撮影の失敗を事前に防止することができるようになされている。特に、ＲＡＷ撮影により後処理で階調等を種々に設定する場合には、このようにヒストグラムにより階調の分布を確認することにより、後処理に十分な分解能を確保することができるように設定することができ、このような後処理を含めた撮影の失敗を有効に回避することができる。
【００２９】
これに対してユーザーによる動作モードの設定が飽和領域の同時表示の場合、コントローラ４は、ユーザーによるシャッターの操作に応動して、事前の確認処理に供する撮像結果を静止画により取得して画像メモリ１０に保持する。また図４（Ａ）に示すように、この取得した静止画を表示部１１により表示する。
【００３０】
コントローラ４は、このようにして静止画を表示部１１により表示した状態で、ユーザーにより表示切り換えの操作子１２が操作されると、図４（Ｂ）に示すように、この静止画において一定輝度レベル以上の高輝度領域を所定の固定パターンに置き換えて表示する。ここでこの置き換えに係る固定パターンは、一定輝度レベル以上の領域をユーザーに通知するために使用される特定パターンであって、自然界で存在が稀なパターンが適用され、この実施例では、斜め方向の粗いハッチングのパターン（以下、ゼブラパターンと呼ぶ）により形成される。なおこのような固定パターンにあっては、例えば網かけ等、種々のパターンを広く適用することができ、またこのような固定パターンを置き換えて表示する場合だけでなく、固定パターンを元の画像に重ね併せて表示する場合等、種々の表示方法を広く適用することができる。
【００３１】
またコントローラ４は、このように一定輝度レベル以上の高輝度領域をゼブラパターンに置き換えて撮像結果を表示した状態で、ユーザーにより表示切り換えの操作子１２が操作されると、図４（Ａ）に示すように、表示部１１の表示を元の表示に切り換える。
【００３２】
コントローラ４は、この一定輝度レベル以上の高輝度領域をゼブラパターンに置き換えた表示において、自動露光制御に係るＥＶ値を増減した場合の、この一定輝度レベル以上の領域の変化を併せて表示する。
【００３３】
すなわちこの電子スチルカメラ１では、操作子１２の操作により自動露光制御に係るＥＶ値を所定値（＋ＥＶ、−ＥＶ）だけ増減させることができ、コントローラ４においては、このＥＶ値の増減に対応して自動露光制御に係る制御目標値を変更する。これによりこの電子スチルカメラ１では、例えば逆光補正等の処理を簡易に実行できるようになされている。
【００３４】
コントローラ４は、画像メモリ１０に格納された画像データによる輝度レベルを所定の判定基準値により判定して、自動露光制御に係るＥＶ値をこの所定値だけ低減した場合に、所定の輝度レベル以上となる高輝度領域Ａを例えば赤色のゼブラパターンにより表示する。また何ら自動露光制御に係るＥＶ値を補正しない状態で、所定の輝度レベル以上となる高輝度領域から、自動露光制御に係るＥＶ値をこの所定値だけ低減しても所定の輝度レベル以上となる高輝度領域Ａを除いた領域Ｂを、領域Ａとは異なる、例えば緑色のゼブラパターンにより表示する。また自動露光制御に係るＥＶ値をこの所定値だけ増大した場合に所定の輝度レベル以上となる高輝度領域から、何ら自動露光制御に係るＥＶ値を補正しない状態で所定の輝度レベル以上となる領域を除いた領域Ｃを、領域Ａ、領域Ｂとは異なる、例えば青色のゼブラパターンにより表示する。
【００３５】
具体的に、コントローラ４は、図１の処理手順の実行により、このようなゼブラパターンによる表示を形成する。すなわちコントローラ４は、ユーザーにより操作子１２が操作されると、ステップＳＰ１からステップＳＰ２に移り、ここで表示部１１の表示モードをゼブラパターンの表示モードに切り換え、続くステップＳＰ３において、これら領域Ａ〜Ｃの検出基準である検知レベルを計算する。ここでコントローラ４は、図５に示すように、標準の絞り制御に係るＥＶ値により得られる入射光量Ｘと輝度Ｙとの特性曲線Ｌ１における判定基準値ｂに対して、この所定値だけＥＶ値を増減した場合の特性曲線Ｌ２及びＬ３より、対応する判定基準値ｂ１及びｂ２を設定し、これにより検知レベルを算出する。なおここで判定基準値ａは、輝度レベルが高い側の判定基準値であり、この実施例では、最も大きな輝度レベルより大きな値に設定される。
【００３６】
続いてコントローラ４は、ステップＳＰ４に移り、画像メモリ１０に保持した撮像結果の輝度レベルをこれらの判定基準値ａ、ｂ、ｂ１、ｂ２により順次判定し、これら判定基準値ａ、ｂ、ｂ１、ｂ２の間に属する画素が存在するか否か判断する。ここでこれらの画素が存在する場合、コントローラ４は、続くステップＳＰ５において、各領域の画像データをゼブラパターンの画像データに置き換え、これにより各領域を対応するゼブラパターンにより置き換えた画像を生成する。また続くステップＳＰ６において、この生成した画像にオンスクリーンディスプレイ（ＯＳＤ）に係る各種アイコンを重畳する。
【００３７】
これに対してこれら判定基準値ａ、ｂ、ｂ１、ｂ２の間に属する画素が全く存在しない場合、コントローラ４は、ステップＳＰ４からステップＳＰ６に移り、画像メモリ１０に保持された撮像結果にオンスクリーンディスプレイに係る各種アイコンを重畳する。
【００３８】
続いてコントローラ４は、ステップＳＰ７に移り、このようにして各種メニュー等を重畳した画像による画像データを表示部１１に転送し、これにより続くステップＳＰ８において表示部１１の表示をゼブラパターンによる表示に切り換えた後、ステップＳＰ９に移ってこの処理手順を終了する。
【００３９】
これらによりコントローラ４は、画像メモリ１０に保持した画像データの輝度レベルを複数の判定基準値ａ、ｂ、ｂ１、ｂ２により判定し、この判定結果に基づいて、画像データによる画像において、これら複数の判定基準値ａ、ｂ、ｂ１、ｂ２のうちの１つの判定基準値ｂより輝度レベルが高い第１の高輝度領域Ａ及びＢと、露光制御の設定を切り換えた場合に、この１つの判定基準値ｂより輝度レベルが高くなる第２の高輝度領域Ａ、又はＡ、Ｂ、Ｃとを識別可能に設定して、これら第１及び第２の高輝度領域を表示するようになされている。
【００４０】
しかしてコントローラ４は、この飽和領域の同時表示の場合にあっても、ユーザーによる操作子１２の操作により自動露光制御に係るＥＶ値の増減を受け付け、続くユーザーによるシャッター操作に応動して、この受け付けた条件により自動露光制御して撮像結果を取得するようになされている。
【００４１】
これによりこの電子スチルカメラ１では、標準の設定による自動露光制御による事前の撮像結果の確認において、ＥＶ値を増減した場合と、ＥＶ値を増減しない場合とで、いわゆる白飛びの部分を確認することができ、これにより事前に撮像結果を確認して撮影の条件を変更できるようにして、この変更後の撮像結果について簡易に確認することができるようになされている。
【００４２】
これに対してユーザーによる動作モードの設定が飽和領域の切り換え表示の場合、コントローラ４は、飽和領域の同時表示の場合と同様に、ユーザーによるシャッターの操作に応動して、事前の確認処理に供する撮像結果を静止画により取得して画像メモリ１０に保持する。また図６（Ａ）に示すように、この取得した静止画を表示部１１により表示する。
【００４３】
コントローラ４は、このようにして静止画を表示部１１により表示した状態で、ユーザーにより表示切り換えの操作子１２が操作されると、図６（Ｂ）に示すように、この静止画において一定輝度レベル以上の領域をゼブラパターンに置き換えて表示する。ここでこの領域においては、何ら自動露光制御に係るＥＶ値を補正しない状態で、所定の輝度レベル以上となる領域が割り当てられる。これによりこの実施例では、この領域は、飽和領域の同時表示に係る領域Ａと領域Ｂとに対応することになる。
【００４４】
またコントローラ４は、このように一定輝度レベル以上の領域をゼブラパターンに置き換えて撮像結果を表示した状態で、ユーザーにより表示切り換えの操作子１２が操作されると、図６（Ａ）に示すように、表示部１１の表示を元の表示に切り換える。
【００４５】
具体的に、コントローラ４は、図７の処理手順の実行により、このようなゼブラパターンによる表示を形成する。すなわちコントローラ４は、ユーザーにより操作子１２が操作されると、ステップＳＰ１１からステップＳＰ１２に移り、ここで表示部１１の表示モードをゼブラパターンの表示モードに切り換え、続くステップＳＰ１３において、同時表示について上述した判定基準値ａ、ｂにより画像メモリ１０に保持した画像データの輝度レベルを順次判定し、これら判定基準値ａ、ｂの間に属する画素が存在するか否か判断する。ここでこれらの画素が存在する場合、コントローラ４は、続くステップＳＰ１４において、この領域の画像データをゼブラパターンの画像データに置き換え、これにより判定基準値ａ、ｂ間の輝度レベルによる領域をゼブラパターンにより置き換えた画像を生成する。また続くステップＳＰ１５において、この生成した画像にオンスクリーンディスプレイに係る各種アイコンを重畳する。
【００４６】
これに対してこれら判定基準値ａ、ｂの間に属する画素が全く存在しない場合、コントローラ４は、ステップＳＰ１３からステップＳＰ１５に移り、画像メモリ１０に保持された撮像結果にオンスクリーンディスプレイに係る各種アイコンを重畳する。
【００４７】
続いてコントローラ４は、ステップＳＰ１６に移り、このようにして各種アイコンを重畳した画像による画像データを表示部１１に転送し、これにより続くステップＳＰ１７において表示部１１の表示をゼブラパターンによる表示に切り換えた後、ステップＳＰ１８に移ってこの処理手順を終了する。
【００４８】
これによりこの電子スチルカメラ１では、標準の設定による自動露光制御による事前の撮像結果の確認において、いわゆる白飛びの部分を確認することができるようになされている。
【００４９】
このようにしてゼブラパターンを表示して、コントローラ４は、符号Ｅにより示すように、自動露光制御に係る設定値を表示する。しかしてこの図６（Ｂ）の例では、標準の設定によることを示す０ＥＶの文字が表示されるようになされている。また符号Ｆにより示すように、上方向及び下方向への操作ガイド２１Ａ及び２１Ｂを表示する。
【００５０】
コントローラ４は、この上方向又は下方向への操作ガイド２１Ａ及び２１Ｂに対応する操作子１２の操作により、それぞれ図６（Ｃ）及び（Ｄ）に示すように、それぞれＥＶ値を減少及び増加させてなる撮像結果を表示し、またこの撮像結果においてゼブラパターンを表示する。またこのようにＥＶ値を減少及び増加させてなる撮像結果の表示において、符号Ｅにより示すように、それぞれ対応するＥＶ値を表示する。また符号Ｆにより示すように、それぞれ上方向又は下方向への操作ガイド２１Ａ及び２１Ｂを表示し、この操作ガイド２１Ａ及び２１Ｂに対応する操作子１２の操作により、元の表示に切り換える。
【００５１】
これによりこの実施例では、簡易な操作により、撮影の条件を変更した後の撮像結果を事前に確認することができるようになされている。
【００５２】
具体的に、コントローラ４は、この場合図８の処理手順の実行により、このようなゼブラパターンによる表示を切り換える。すなわちコントローラ４は、この処理手順を開始すると、ステップＳＰ２１からステップＳＰ２２に移り、ユーザーにより操作子１２の操作を受け付け、続くステップＳＰ２３において、画像メモリ１０に保持された画像データをＥＶ値の変更分だけ重み付けして輝度レベルを変換することにより、ＥＶ値を変更した場合の画像を画像メモリ１０に保持された画像データより作成する。
【００５３】
また続くステップＳＰ２４において、図７について上述した判定基準値ａ、ｂにより、このようにして生成した画像データの輝度レベルを順次判定し、これら判定基準値ａ、ｂの間に属する画素が存在するか否か判断する。ここでこれらの画素が存在する場合、コントローラ４は、続くステップＳＰ２５において、この領域の画像データをゼブラパターンの画像データに置き換え、これにより判定基準値ａ、ｂ間の輝度レベルによる領域をゼブラパターンにより置き換えた画像を生成する。また続くステップＳＰ２６において、この生成した画像に各種アイコンを重畳する。
【００５４】
これに対してこれら判定基準値ａ、ｂの間に属する画素が全く存在しない場合、コントローラ４は、ステップＳＰ２４からステップＳＰ２６に移り、生成した画像に各種アイコンを重畳する。
【００５５】
続いてコントローラ４は、ステップＳＰ２７に移り、このようにして各種アイコンを重畳した画像による画像データを表示部１１に転送し、これにより続くステップＳＰ２８において表示部１１の表示をゼブラパターンによる表示に切り換えた後、ステップＳＰ２９に移ってこの処理手順を終了する。
【００５６】
これらによりコントローラ４は、この切り換え表示においては、画像メモリに保持した画像データの輝度レベルを１つの判定基準値ｂにより判定し、１つの判定基準値ｂより輝度レベルが高い第１の高輝度領域を表示手段により表示された画像上で表示する。また操作子１２の操作により、この表示手段による表示を切り換え、画像メモリ１０に保持した画像データの輝度レベルを露光制御の設定を切り換えた場合の輝度レベルに変換して表示する。またこの変換した輝度レベルを１つの判定基準値ｂにより判定し、この１つの判定基準値ｂより輝度レベルが高い高輝度領域を表示手段により表示された画像上で表示するようになされている。
【００５７】
しかしてコントローラ４は、この飽和領域の切り換え表示の場合にあっても、ユーザーによる操作子１２の操作により自動露光制御に係るＥＶ値の増減を受け付け、続くユーザーによるシャッター操作に応動して、この受け付けた条件により自動露光制御して撮像結果を取得するようになされている。
【００５８】
これによりこの電子スチルカメラ１では、事前に取得した撮像結果の確認において、ＥＶ値を増減した場合と、ＥＶ値を増減しない場合との、いわゆる白飛びの部分を確認することができるようになされ、これにより事前に撮像結果を確認して撮影の条件を変更できるようにして、この変更後の撮像結果について簡易に確認することができるようになされている。
【００５９】
（２）実施例の動作
以上の構成において、この電子スチルカメラ１では（図２）、撮像素子５から得られる動画による撮像結果がアナログディジタル変換回路７により画像データに変換され、この画像データが画像処理部９により処理された後、画像メモリ１０を介して表示部１１により表示される。またユーザーによる操作子の操作に応動して、全体の動作が切り換えられ、撮像素子５から動画による撮像結果に代えて静止画による撮像結果が得られ、この静止画による撮像結果の画像データが画像処理部９、画像メモリ１０を介して表示部１１により表示される。
【００６０】
これによりこの電子スチルカメラ１では、表示部１１により表示される動画による撮像結果により被写体を確認して、シャッターを操作することにより、所望の被写体の画像を取得し得、この取得した画像がメモリカード２に記録されて保持される。
【００６１】
これらの一連の処理において、この電子スチルカメラ１では、動作モードがヒストグラムの表示に設定されると、順次取得される動画による画像データについて、輝度信号及び各色信号の信号レベルの分布が画像処理部９により検出され、この検出結果に基づいてコントローラ４により表示部１１にヒストグラムが表示される（図３）。また操作子１２の操作により、このヒストグラムの表示が、輝度信号、色信号で順次循環的に切り換えられる。
【００６２】
これによりこの電子スチルカメラ１では、これらヒストグラムにより撮像結果を確認して、特定の色、輝度等が飽和しないように、絞りの操作、ホワイトバランス調整の設定等により撮影の条件を適切に設定することができ、これにより撮影の失敗を未然に防止することができるようになされている。特に、ＲＡＷ撮影により後処理で階調等を種々に設定する場合には、このようにヒストグラムにより階調の分布を確認することにより、後処理に十分な分解能を確保することができ、このような後処理を含めた撮影の失敗を有効に回避することができる。
【００６３】
これに対して動作モードが飽和領域の同時表示に設定されて、シャッターが操作されると、撮像素子５より静止画の撮像結果が取得され、この撮像結果の画像データが画像メモリ１０に保持される。またこの画像メモリ１０に保持された画像データによる画像が表示部１１により表示される（図４）。
【００６４】
ここでユーザーが表示切り換えの操作子１２を操作すると、電子スチルカメラ１では、画像メモリ１０に保持された画像データの輝度レベルが複数の判定基準値ａ、ｂ、ｂ１、ｂ２により判定され、この判定結果により、これらの判定結果のうちの基準となる判定基準値ｂより輝度レベルの高い高輝度領域が検出される（図１及び図５）。また自動露光制御に係るＡＥ値の増減により自動露出制御に係る設定を切り換えた場合に、この基準となる判定基準値ｂより輝度レベルの高い高輝度領域がそれぞれ検出される。またこのようにして検出された各領域が識別可能に、静止画による撮像結果の表示上で表示される。すなわちこの場合、これらの領域のうち、最も小さな高輝度領域Ａより、順次高輝度領域の拡大を示す領域Ｂ、Ｃが異なるゼブラパターンにより表示され、これによりこれら高輝度領域が識別可能に表示される。
【００６５】
これによりユーザーにおいては、１枚の静止画像を事前に撮像するだけで、あたかも撮影の条件を切り換えてブラケット撮影した場合と同様の撮像結果の確認を、この１枚の静止画による撮像結果を表示して実行することができる。またこのようにして静止画の表示により確認して、自動露光制御に係るＡＥ値を切り換える等して、改めて被写体を撮像することにより、所望の条件により撮像結果を取得することができる。
【００６６】
これによりこの電子スチルカメラ１では、事前に撮像結果を確認して撮影の条件を変更できるようにして、この変更後の撮像結果についても簡易に確認することができ、その分、撮影の失敗を未然に防止することが可能となる。
【００６７】
これに対して動作モードが飽和領域の切り換え表示に設定されて、シャターが操作されると、撮像素子５より静止画の撮像結果が取得され、この撮像結果の画像データが画像メモリ１０に保持される。またこの画像メモリ１０に保持された画像データによる画像が表示部１１により表示される（図６）。
【００６８】
ここでユーザーが表示切り換えの操作子１２を操作すると、電子スチルカメラ１では、同時切り換えに係る複数の判定基準値ａ、ｂ、ｂ１、ｂ２のうちの基準となる判定基準値ｂにより、画像メモリ１０に保持された画像データの輝度レベルが判定され、この判定結果により、判定基準値ｂより輝度レベルの高い高輝度領域が検出される（図７）。また表示部１１に表示した静止画上で、この高輝度領域がゼブラパターンにより表示される。
【００６９】
またユーザーが操作子を操作すると、画像メモリ１０に保持された画像データの輝度レベルを露光制御の設定を切り換えた場合の輝度レベルに変換して表示部１１により表示し、またこの変換した輝度レベルを判定基準値ｂにより判定し、このように露光制御の設定を切り換えた場合に得られる撮像結果において、判定基準値ｂより輝度レベルの高い高輝度領域が表示部１１により表示される画像上でゼブラパターンにより表示される。
【００７０】
これによりこの場合も、ユーザーにおいては、１枚の静止画像を事前に撮像するだけで、あたかも撮影の条件を切り換えてブラケット撮影した場合と同様の撮像結果の確認を、この１枚の静止画による撮像結果を表示して実行することができる。またこのようにして静止画の表示により確認して、自動露光制御に係るＡＥ値を切り換える等して、改めて被写体を撮像することにより、所望の条件により撮像結果を取得することができる。
【００７１】
これによりこの電子スチルカメラ１では、事前に撮像結果を確認して撮影の条件を変更できるようにして、この変更後の撮像結果についても簡易に確認することができ、その分、撮影の失敗を未然に防止することが可能となる。
【００７２】
またこの場合においては、表示部１１により実際に表示する静止画にあっても、露光制御の設定の切り換えに対応して輝度レベルが変更されており、これにより一段と簡易かつ確実に、また実際にブラケット撮影した場合と同様に、撮像結果を確認することができる。
【００７３】
またこのように飽和領域の同時表示による動作モードとは別に、飽和領域の切り換え表示による動作モードを設けることにより、ユーザーにおいては、自分の嗜好に適した動作モードにより撮像結果を確認することができ、また例えば飽和領域の同時表示により設定を確認して、さらに飽和領域の切り換え表示により設定を再確認することができ、これにより電子スチルカメラ１においては、一段と使い勝手を向上し、さらには撮影の失敗を一段と確実に防止できるようになされている。
【００７４】
（３）実施例の効果
以上の構成によれば、画像メモリに記録された画像データの輝度レベルを複数の判定基準値により判定し、この判定結果に基づいて、輝度レベルが所定値以上となる第１の高輝度領域と、露光制御の設定を切り換えた場合に、輝度レベルが所定値以上となる第２の高輝度領域とを識別可能に、表示手段により表示された画像上で表示することにより、事前に撮像結果を確認して撮影の条件を変更できるようにして、この変更後の撮像結果についても簡易に確認することができる。
【００７５】
またこのような高輝度領域の表示を、所定の固定パターンであるゼブラパターンにより実行することにより、このような高輝度領域を簡易かつ確実に確認することができる。
【００７６】
また飽和領域の切り換え表示の動作モードにおいて、画像メモリに保持した画像データの輝度レベルを１つの判定基準値により判定して、輝度レベルが高い高輝度領域を表示手段により表示された画像上で表示し、所定の操作子の操作により、この表示手段による表示を切り換え、画像メモリに保持した画像データの輝度レベルを露光制御の設定を切り換えた場合の輝度レベルに変換して表示し、またこの変換した輝度レベルを１つの判定基準値により判定して、輝度レベルが高い高輝度領域を表示手段により表示された画像上で表示することによっても、一段と確実に変更後の撮像結果を確認することができる。
【００７７】
またヒストグラム表示の動作モードにおいて、画像メモリに保持した画像データより輝度信号、各色信号の信号レベルの分布を検出し、この信号レベルの分布により輝度信号、色信号で切り換えてヒストグラムを表示することにより、撮影の失敗を未然に防止することができる。
【実施例２】
【００７８】
なお上述の実施例においては、自動露光制御において、ＡＥ値を所定値だけ増減してなる場合をゼブラパターンで表示する場合について述べたが、本発明はこれに限らず、いわゆるマニュアルの設定による露光制御において、ＡＥ値を所定値だけ増減してなる場合をゼブラパターンで表示するようにしてもよい。
【００７９】
さらに上述の実施例においては、ＤＳＰによる画像処理部で輝度信号、各色信号の信号レベルの分布を検出してコントローラにより処理する場合について述べたが、本発明はこれに限らず、コントローラにおける一連の処理プログラムによりこれらの処理を実行するようにしてもよい。
【００８０】
また上述の実施例においては、本発明を電子スチルカメラに適用した場合について述べたが、本発明はこれに限らず、例えばカメラ付き携帯電話等、種々の撮像装置に広く適用することができる。
【産業上の利用可能性】
【００８１】
本発明は、撮像装置、撮像装置の制御方法、撮像装置の制御方法のプログラム及び撮像装置の制御方法のプログラムを記録した記録媒体に関し、例えば電子スチルカメラに適用することができる。
【図面の簡単な説明】
【００８２】
【図１】本発明の実施例に係る電子スチルカメラにおけるコントローラの飽和領域の同時表示に係る処理手順を示すフローチャートである。
【図２】本発明の実施例に係る電子スチルカメラを示すブロック図である。
【図３】図１の電子スチルカメラにおけるヒストグラム表示の説明に供する略線図である。
【図４】図１の処理手順による表示を示す略線図である。
【図５】図１の処理手順の説明に供する特性曲線図である。
【図６】図２の電子スチルカメラにおける飽和領域の切り換え表示の説明に供する略線図である。
【図７】図６の飽和領域の切り換え表示におけるコントローラの処理手順を示すフローチャートである。
【図８】図６の飽和領域の切り換え表示における表示の切り換えに供するコントローラの処理手順を示すフローチャートである。
【符号の説明】
【００８３】
１……電子スチルカメラ、４……コントローラ、５……撮像素子、７……アナログディジタル変換回路、９……画像処理部、１０……画像メモリ、１１……表示部
【図１】
2006165716.tif 000003
【図２】
2006165716.tif 000004
【図３】
2006165716.tif 000005
【図４】
2006165716.tif 000006
【図５】
2006165716.tif 000007
【図６】
2006165716.tif 000008
【図７】
2006165716.tif 000009
【図８】
2006165716.tif 000010